(57)【要約】【課題】展張後のフィルム下に隠れているイチゴの苗を確認できると共に、フィルムを切り破くことなく、フィルム下の苗をフィルム上に容易に引き出すことができるイチゴ栽培用マルチフィルムを提供すること。【解決手段】イチゴの苗を定植した後の畝に展張されるイチゴ栽培用マルチフィルムにおいて、苗をフィルム上に引き出すための長孔又は楕円孔からなる引き出し孔を、フィルムの長さ方向に沿って、一定の間隔で複数形成してなることを特徴とするイチゴ栽培用マルチフィルム。【選択図】図１
2018102324.tif 000002
【特許請求の範囲】
【請求項１】
葉、クラウン、根からなるイチゴの苗を定植した後の畝に展張されるイチゴ栽培用マルチフィルムにおいて、
前記葉及び前記クラウンをフィルム上に引き出すための長孔又は楕円孔からなる引き出し孔を、フィルムの長さ方向に沿って、一定の間隔で複数形成してなることを特徴とするイチゴ栽培用マルチフィルム。
【請求項２】
前記引き出し孔は、長径が５ｃｍ〜８ｃｍ、短径が２ｃｍ〜６ｃｍであることを特徴とする請求項１記載のイチゴ栽培用マルチフィルム。
【請求項３】
前記引き出し孔は、長径がフィルムの長さ方向に沿うように形成されていることを特徴とする請求項１又は２記載のイチゴ栽培用マルチフィルム。
【発明の詳細な説明】
【技術分野】
【０００１】
本発明は、イチゴ栽培用マルチフィルムに関し、より詳しくは、フィルム下に隠れているイチゴの苗の葉及びクラウンを、フィルムを切り破くことなく、フィルム上に容易に引き出せるようにしたイチゴ栽培用マルチフィルムに関する。
【背景技術】
【０００２】
イチゴのハウス促成栽培では、定植前に苗床やポット育苗等で花芽分化をさせ、葉の大きさ５ｃｍ前後、葉枚数３枚程度、クラウン（根茎部）１０ｍｍ前後に成長した葉、クラウン、根からなる苗を、ハウス内の裸地の畝に９月中旬頃に定植する。そして、約１ヵ月後、苗の活着を確認し、地温上昇、雑草抑制、果実の汚れ防止などを目的として、充分な根張り後にマルチ掛けを実施する。
【０００３】
マルチ掛け方法は、初めにマルチフィルムを畝に定植されたイチゴの苗上に覆い、次いで、マルチフィルムの上から葉及びクラウンの位置を探り、探り当てたらその部位のマルチフィルムを破って該葉及びクラウンをフィルム上に引き出す。このようにして、マルチフィルムを展張することによって、マルチ掛けを終了する。イチゴ圃場には、１０ａ（アール）当たり８０００株前後が定植されており、その全てをフィルム上に引き出していくため、定植後のマルチ掛け作業は大変な時間と労力を要する作業である。
【０００４】
苗の定植後に時間をおいてからマルチフィルムを展張する理由は、イチゴが中低温環境の作物であり、地温は２０℃前後を好むため、定植時の９月中旬にマルチフィルムを展張すると地温が３０℃前後となり、苗の活着や根張りが阻害されてしまうからである。また、せっかく形成された花芽が消える危険もあり得る。そのため、苗を裸地に定植して活着と発根を促し、充分に株張りをさせ、約１ヶ月後にマルチフィルムを展張する作業に取りかかる。この定植後のマルチ掛け作業は、高温を好まないイチゴの特徴的な栽培方法である。
【０００５】
このように、イチゴ栽培では、畝に苗を定植した後にマルチフィルムを展張するため、予め孔が設けられているマルチフィルムは使用できず、孔の設けられていないマルチフィルムが使用される。このため、上述したように、展張後にフィルム下に隠れている葉及びクラウンをフィルム上に一つ一つ引き出す作業が必要となる。
【０００６】
前記葉及びクラウンを引き出す方法をさらに詳しく説明すると、展張後に、葉及びクラウンの位置に合わせてカッター等でフィルムを穿孔し、孔から該葉及びクラウンを引き出す方法が一般的である。しかし、この方法では、一つ一つ孔を設ける作業が重労働である。しかも、フィルムを穿孔する際、葉及びクラウンを傷付けるおそれもある。
【０００７】
このため、マルチフィルムに予め開口を形成することなく、スリット孔を穿孔してミシン目を形成しておき、展張後に葉及びクラウンを引き出す際、葉及びクラウンの位置にあるミシン目を容易に引き裂くことができるようにしたマルチフィルムが提案されている（特許文献１の段落０００３）。
【先行技術文献】
【特許文献】
【０００８】
【特許文献１】特開２００５−３４１９０３号公報
【発明の概要】
【発明が解決しようとする課題】
【０００９】
近年、農業人口の減少のみならず、農業従事者の高齢化が進行している。このような状況下では、イチゴのマルチ栽培において、特許文献１記載のようなミシン目付きのマルチフィルムを使用してもなお、葉及びクラウンをフィルム上に一つ一つ引き出す作業は負担が大きく、重労働となっている。特に、大規模栽培になる程、畝が長くなり、イチゴの苗も膨大な数になるため、ますます負担が大きくなる。
【００１０】
イチゴの苗の葉及びクラウンをフィルム上に引き出す作業自体は、比較的単純な作業であるため、障害者が行う作業としても適している。しかしながら、カッター等を用いてフィルムを切り破く作業は少なからず危険を伴う。また、一度切り破かれたフィルムは、切れ目からさらに切れ易くなるため、思わず無駄に大きな開口部が形成されてしまうおそれもある。これはミシン目を切り破く場合も同様である。開口部を大きくしすぎると、地熱や水分の放散、雑草の繁茂を招き、マルチ効果を損ねる問題がある。
【００１１】
さらに、葉及びクラウンはフィルム下に隠れて直接目視できないため、たとえミシン目付きのマルチフィルムを使用したとしても、フィルム上から葉及びクラウンの位置を手で探り当てた上でミシン目を切り破き、一つ一つ該葉及びクラウンを引き出す作業は、特に障害者にとって軽作業とは言い難いものであった。
【００１２】
そこで、本発明は、展張後のフィルム下に隠れているイチゴの葉及びクラウンをフィルム上から確認できると共に、フィルムを切り破くことなく、フィルム下の葉及びクラウンをフィルム上に容易に引き出すことができるイチゴ栽培用マルチフィルムを提供することを課題とする。
【００１３】
本発明の他の課題は、以下の記載によって明らかとなる。
【課題を解決するための手段】
【００１４】
上記課題は、以下の各発明によって解決される。
【００１５】
１．葉、クラウン、根からなるイチゴの苗を定植した後の畝に展張されるイチゴ栽培用マルチフィルムにおいて、
前記葉及び前記クラウンをフィルム上に引き出すための長孔又は楕円孔からなる引き出し孔を、フィルムの長さ方向に沿って、一定の間隔で複数形成してなることを特徴とするイチゴ栽培用マルチフィルム。
【００１６】
２．前記引き出し孔は、長径が５ｃｍ〜８ｃｍ、短径が２ｃｍ〜６ｃｍであることを特徴とする前記１記載のイチゴ栽培用マルチフィルム。
【００１７】
３．前記引き出し孔は、長径がフィルムの長さ方向に沿うように形成されていることを特徴とする前記１又は２記載のイチゴ栽培用マルチフィルム。
【発明の効果】
【００１８】
本発明によれば、展張後のフィルム下に隠れているイチゴの葉及びクラウンをフィルム上から確認できると共に、フィルムを切り破くことなく、フィルム下の葉及びクラウンをフィルム上に容易に引き出すことができるイチゴ栽培用マルチフィルムを提供することができる。
【図面の簡単な説明】
【００１９】
【図１】本発明に係るイチゴ栽培用マルチフィルムの一実施形態を示す平面図
【図２】図１に示すイチゴ栽培用マルチフィルムにおける葉及びクラウンの引き出し孔の拡大平面図
【図３】（ａ）は引き出し孔の側辺を広げた様子を説明する図、（ｂ）は長孔からなる引き出し孔と丸孔からなる引き出し孔との比較を説明する図
【図４】（ａ）〜（ｄ）は本発明に係るイチゴ栽培用マルチフィルムを用いたイチゴ栽培方法を説明する図
【図５】本発明の他の実施形態に係る葉及びクラウンの引き出し孔の拡大平面図
【発明を実施するための形態】
【００２０】
以下、図面を参照して本発明の実施の形態について説明する。
【００２１】
図１は、本発明に係るイチゴ栽培用マルチフィルムの一実施形態を示す平面図、図２は、図１に示すイチゴ栽培用マルチフィルムにおける葉及びクラウンの引き出し孔の拡大平面図である。
【００２２】
イチゴ栽培用マルチフィルム１（以下、マルチフィルム１という。）は、低密度ポリエチレン等の熱可塑性樹脂製フィルムからなり、マルチフィルム１の長さ方向（図１の上下方向）に沿って、イチゴの葉及びクラウンをフィルム上に引き出すための引き出し孔２が、一定の間隔で複数形成されている。
【００２３】
図１に示すマルチフィルム１において、引き出し孔２は長孔によって形成されている。すなわち、引き出し孔２は、長径と短径を有する非円形の孔である。本実施形態に示す長孔からなる引き出し孔２は、長径に沿う２つの側辺２１、２１が直線であると共に、それら側辺２１、２１の両端部に、該端部同士をつなぐ半円弧形状の円弧辺２２、２２をそれぞれ有する形状に形成されている。
【００２４】
全ての引き出し孔２は、葉及びクラウンの引き出し作業を畝の長さ方向に亘って一つ一つ行っていく際の作業性を良好にする観点から、図１に示すように、引き出し孔２の長径がマルチフィルム１の長さ方向に沿うように配置されていることが好ましい。
【００２５】
本発明において、引き出し孔２は、このように長径と短径を有する孔であることが重要である。例えば、引き出し孔をスリットによって形成した場合では、葉及びクラウンを引き出すためにスリットを広げた際に、端部から裂け易くなり、無駄に大きな孔が開いてマルチ効果を損ねるおそれがある。また、葉及びクラウンがスリットの中心から少しでも位置ずれしていると、スリットの縁が葉及びクラウンに無理に引っ張られることにより、攣れが発生するおそれがある。マルチフィルムに攣れが発生すると、マルチフィルムがクラウンに負荷を掛け続け、苗を傷めるおそれがある。しかも、スリットは、通常は閉じているため、展張後のフィルム下に隠れている葉及びクラウンを直接確認できない。
【００２６】
これに対し、本発明における引き出し孔２は、常時開口した形状であるため、葉及びクラウンを引き出す際に無理に孔を広げる必要はなく、スリットのように裂ける心配はない。また、常時開口していることから、葉及びクラウンが引き出し孔２の中心から位置ずれしていても、引き出し孔２の内部で位置ずれを吸収でき、マルチフィルム１に攣れが発生しにくい。さらに、展張後にフィルム下に隠れている葉及びクラウンを、引き出し孔２を通して直接目視確認することができる。
【００２７】
また、仮に、引き出し孔を円形の丸孔とした場合では、一見すると、大きな開口面積によって、葉及びクラウンの引き出し作業も容易になると考えられる。しかし、葉及びクラウンを引き出す際に、手指や葉及びクラウンによって孔が広がるように捲り上げられると、孔の両端部が中心に引き寄せられ、円形だった開口形状が細長形状に変形してしまう。このため、葉及びクラウンを引き出そうとして孔径を広げようとする程、開口面積は小さくなってしまい、引き出しにくくなる。
【００２８】
これに対し、長孔からなる引き出し孔２は、図３（ａ）中の一点鎖線に示すように、手指や葉及びクラウンによって側辺２１、２１が広げられても、引き出し孔２の開口形状は細長くなることはなく、円形に近くなる。このため、葉及びクラウンを引き出すのに十分な開口は確保される。
【００２９】
しかも、図３（ｂ）に示すように、長孔からなる引き出し孔２と、その長径と同一直径の丸孔からなる引き出し孔２００とを比較すると、丸孔からなる引き出し孔２００では、図中の斜線で示す領域が無駄に開口してしまう。このような無駄な開口は、マルチ効果を損ねる原因となる。すなわち、本発明における引き出し孔２によれば、丸孔に比べて、マルチ効果を損ねずに葉及びクラウンを引き出し易くすることができる。
【００３０】
また、引き出し孔を、直線の辺同士が交差する角孔とした場合では、葉及びクラウンの引き出し時に、角部から裂けてしまうおそがある。長孔からなる引き出し孔２は、直線の辺同士が交差する角部が形成されないため、このような裂けは発生しにくい。
【００３１】
引き出し孔２は、イチゴの葉及びクラウンを引き出す上では、長径ａを５ｃｍ〜８ｃｍ、短径ｂを２ｃｍ〜６ｃｍとすることが好ましい。長径ａ、短径ｂをこの範囲とすることにより、マルチ効果を損ねずに、フィルム下の葉及びクラウンの引き出し作業を楽に行うことができる。より好ましくは、長径ａを５ｃｍ〜６ｃｍ、短径ｂを３ｃｍ〜４ｃｍとすることである。
【００３２】
図１に示すマルチフィルム１は、長さ方向に沿う複数の引き出し孔２を幅方向に２条となるように形成しているが、引き出し孔２の条数は特に問わず、畝に定植される苗の条数に応じて適宜設定される。
【００３３】
引き出し孔２を複数条形成する場合、図１に示すように、各引き出し孔２は、条間の苗同士の干渉を防ぐため、条間に亘って千鳥状に配置されていることが好ましい。
【００３４】
１条を構成する隣り合う引き出し孔２、２の間隔Ｌ１は、畝に定植される苗の間隔に対応して決定される。具体的な間隔は必ずしも限定されないが、一例を挙げれば、１５ｃｍ〜２５ｃｍとすることである。
【００３５】
また、図１に示すマルチフィルム１のように、引き出し孔２を複数条形成する場合、条間Ｌ２は、畝に定植される苗の条間に対応して決定されるものであり、必ずしも限定されないが、一例を挙げれば、２０ｃｍ〜３０ｃｍとすることである。
【００３６】
次に、かかるマルチフィルム１を用いたイチゴ栽培方法について、図４（ａ）〜（ｄ）を用いて説明する。
【００３７】
まず、複数のイチゴの苗が定植された畝１００に、本発明に係るマルチフィルム１を、イチゴの苗の葉及びクラウンＳを上から覆うように展張する（図４（ａ））。このとき、各苗は、マルチフィルム１の引き出し孔２と同じ配列形態になるように定植しておく。なお、図示しないが、展張後のマルチフィルム１の周縁は覆土してもよいし、覆土せずに他の方法で固定してもよい。
【００３８】
展張後、葉及びクラウンＳは、マルチフィルム１の各引き出し孔２の下に位置する（図４（ｂ））。引き出し孔２は常時開口しているため、引き出し孔２からフィルム下の葉及びクラウンＳの位置を直接目視確認することができる。このため、フィルム表面を手で撫でながら葉及びクラウンの位置を探り当てる必要がなく、葉及びクラウンＳの位置確認が容易となる。
【００３９】
次いで、引き出し孔２から手指を差し入れ、引き出し孔２に臨んでいる葉及びクラウンＳを摘まんでフィルム上に引き出す（図４（ｃ））。このとき、引き出し孔２の側辺２１、２１が、手指や葉及びクラウンＳによって若干捲り上げられるが、これによって引き出し孔２が細長状に変形して狭くなることはなく、円形に近くなる。このため、葉及びクラウンＳを引き出すのに十分大きな開口を確保できる。
【００４０】
同様にして、各引き出し孔２から葉及びクラウンＳを一つ一つ引き出していくことにより、全ての葉及びクラウンＳをフィルム上に引き出す（図４（ｄ））。
【００４１】
このように、本発明に係るマルチフィルム１によれば、フィルム下に隠れている葉及びクラウンＳを引き出す際にマルチフィルム１を切り破る必要がないため、カッター等の工具を用いる必要はなく、葉及びクラウンＳを傷付けるおそれはない。また、マルチ効果を損ねるような無駄に大きな孔が形成されてしまうこともない。
【００４２】
特に、本発明に係るマルチフィルム１によれば、フィルムを切り破る必要がなく、フィルム下の葉及びクラウンＳも直接目視確認でき、しかも、展張後に葉及びクラウンＳを引き出し孔２から単に引き出していくだけの作業で済むため、葉及びクラウンＳの引き出し作業を単純な軽作業とすることができる。このため、作業者の負担は大幅に軽減され、高齢者や障害者にとっても、楽に、喜びをもって作業できるようになり、高齢者や障害者の雇用促進にも大いに貢献できる。
【００４３】
長孔からなる引き出し孔２は、長径と短径を有する形状あればよい。図５は、図１に示されたマルチフィルム１に設けられた長孔からなる引き出し孔２を変形した例が示された図が示されている。例えば、図５（ａ）のように、角部を丸めた矩形状の長孔としたり、図５（ｂ）のように、繭形状の長孔としたり、図５（ｃ）のように、中央部が幅広状となる長孔とすることもできる。
【００４４】
また、引き出し孔２は、長孔に限らず、図５（ｄ）のように、全周が曲線からなる楕円孔によって構成しても、上記と同等の作用、効果を奏する。
【００４５】
なお、本発明に係るマルチフィルム１は、黒色等の単色のフィルムであってもよいし、白黒フィルム、銀黒フィルム等のように表裏で異なる色の多層フィルムであってもよい。
【符号の説明】
【００４６】
１：イチゴ栽培用マルチフィルム
２：引き出し孔
２１：側辺
２２：円弧辺
１００：畝
Ｓ：葉及びクラウン
【図１】
2018102324.tif 000003
【図２】
2018102324.tif 000004
【図３】
2018102324.tif 000005
【図４】
2018102324.tif 000006
【図５】
2018102324.tif 000007